【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
コンピュータ・ネットワーク上で利用者の身体画像データと衣服の画像データを基に画像合成した試着画像を提供する試着画像提供システムであって、利用者のＩＤを記憶するＩＤ記憶手段、無線通信手段、及び試着画像の表示手段を少なくとも備えた利用者端末と、前記利用者端末を無線によって前記コンピュータ・ネットワークに接続するための接続手段と、前記コンピュータ・ネットワークに接続され、利用者の身体画像データと衣服の画像データを基に試着画像を画像合成する画像処理手段と、を具備することを特徴とする試着画像提供システム。
【請求項２】
利用者の身体画像データを保護するプライバシ保護モード下では、前記利用者端末は、利用者のＩＤに該当する衣服画像データを前記コンピュータ・ネットワーク経由で取得して、利用者の身体画像データと衣服画像データを画像合成して試着画像を生成し、プライバシ保護モード外であれば、前記利用者端末は、前記画像処理サーバに身体画像データを前記コンピュータ・ネットワーク経由で転送して、利用者の身体画像データと衣服画像データを画像合成する試着画像の生成処理を依頼する、ことを特徴とする請求項１に記載の試着画像提供システム。
【請求項３】
利用者のＩＤを記憶するＩＤ記憶手段、無線通信手段、及び試着画像の表示手段を少なくとも備えた利用者端末と、前記利用者端末を無線によって前記コンピュータ・ネットワークに接続するための接続手段と、前記コンピュータ・ネットワークに接続され、利用者の身体画像データと衣服の画像データを基に試着画像を画像合成する画像処理サーバが存在するコンピュータ・ネットワーク上で、利用者の身体画像データと衣服の画像データを基に画像合成した試着画像を提供する試着画像提供方法であって、利用者の身体画像データを保護するプライバシ保護モード下において、前記利用者端末が、利用者のＩＤに該当する衣服画像データを前記コンピュータ・ネットワーク経由で取得して、利用者の身体画像データと衣服画像データを画像合成して試着画像を生成するステップと、プライバシ保護モード外において、前記利用者端末が、前記画像処理サーバに身体画像データを前記コンピュータ・ネットワーク経由で転送して、利用者の身体画像データと衣服画像データを画像合成する試着画像生成処理を依頼するステップと、を具備することを特徴とする試着画像提供方法。
【請求項４】
利用者の身体画像データと衣服の画像データを基に画像合成された試着画像を利用する試着画像利用端末であって、所望の衣服からＩＤを取得するＩＤ読み取り手段と、無線によりコンピュータ・ネットワークに接続する無線通信手段と、利用者の衣服の画像データに関する利用権の有無をチェックする手段と、利用者の衣服の画像データに関する利用権の有無に応じた方式で、利用者の身体画像データと衣服の画像データを基に画像合成された試着画像、及び/又は、衣服の画像データを受信する手段と、試着画像の表示手段と、を具備することを特徴とする試着画像利用端末。
【請求項５】
利用者が所望の衣服から読み取ったＩＤに該当する衣服画像データに関する利用権を保有していない場合には、所定の利用権獲得処理を実行する手段をさらに備える、ことを特徴とする請求項４に記載の試着画像利用端末。
【請求項６】
前記の試着画像を受信する手段は、利用者が所望の衣服から読み取ったＩＤに該当する衣服画像データに関する利用権を保有する場合には、所定の画像処理サーバから、利用者の身体画像データと衣服画像データを画像合成した試着画像データを受信し、利用者が所望の衣服から読み取ったＩＤに該当する衣服画像データに関する利用権を保有しない場合には、所定の画像処理サーバから、利用者の身体画像データと衣服画像データを画像合成した試着画像データを前記利用者端末にストリーム受信又は試着画像データの再利用不能な形式で受信する、ことを特徴とする請求項４に記載の試着画像利用端末。
【請求項７】
利用者の身体画像データと衣服の画像データを基に画像合成された試着画像を利用する試着画像利用方法であって、所望の衣服からＩＤを取得するＩＤ読み取りステップと、無線によりコンピュータ・ネットワークに接続する無線通信ステップと、利用者の衣服の画像データに関する利用権の有無をチェックするステップと、利用者の衣服の画像データに関する利用権の有無に応じた方式で、利用者の身体画像データと衣服の画像データを基に画像合成された試着画像、及び/又は、衣服の画像データを受信するステップと、試着画像の表示ステップと、を具備することを特徴とする試着画像利用方法。
【請求項８】
利用者が所望の衣服から読み取ったＩＤに該当する衣服画像データに関する利用権を保有していない場合には、所定の利用権獲得処理を実行するステップをさらに備える、ことを特徴とする請求項７に記載の試着画像利用方法。
【請求項９】
利用者の身体画像データと衣服の画像データを基に画像合成した試着画像を生成する処理をコンピュータ・システム上で実行するように記述されたコンピュータ・ソフトウェアをコンピュータ可読形式で物理的に格納した記憶媒体であって、前記コンピュータ・ソフトウェアは、利用者から身体画像データと衣服の画像データを基に画像合成する試着画像の生成依頼を受信するステップと、依頼された衣服の画像データを取得するステップと、利用者が衣服の画像データに関する利用権を保有するか否かをチェックするステップと、利用者の身体画像データと衣服の画像データを基に画像合成して試着画像を生成するステップと、利用者の衣服の画像データに関する利用権の有無に応じた方式で試着画像を利用者端末に送信するステップと、を具備することを特徴とする記憶媒体。
【請求項１０】
利用者の身体画像データと衣服の画像データを基に画像合成された試着画像を利用する処理をコンピュータ・システム上で実行するように記述されたコンピュータ・ソフトウェアをコンピュータ可読形式で物理的に格納した記憶媒体であって、前記コンピュータ・ソフトウェアは、所望の衣服からＩＤを取得するＩＤ読み取りステップと、無線によりコンピュータ・ネットワークに接続する無線通信ステップと、利用者の衣服の画像データに関する利用権の有無をチェックするステップと、利用者の衣服の画像データに関する利用権の有無に応じた方式で、利用者の身体画像データと衣服の画像データを基に画像合成された試着画像、及び/又は、衣服の画像データを受信するステップと、試着画像の表示ステップと、を具備することを特徴とする記憶媒体。
【請求項１１】
利用者の身体画像データと衣服の画像データを基に画像合成した試着画像を生成する処理をコンピュータ・システム上で実行するように記述されたコンピュータ・プログラムであって、利用者から身体画像データと衣服の画像データを基に画像合成する試着画像の生成依頼を受信するステップと、依頼された衣服の画像データを取得するステップと、利用者が衣服の画像データに関する利用権を保有するか否かをチェックするステップと、利用者の身体画像データと衣服の画像データを基に画像合成して試着画像を生成するステップと、利用者の衣服の画像データに関する利用権の有無に応じた方式で試着画像を利用者端末に送信するステップと、を具備することを特徴とするコンピュータ・プログラム。
【請求項１２】
利用者の身体画像データと衣服の画像データを基に画像合成された試着画像を利用する処理をコンピュータ・システム上で実行するように記述されたコンピュータ・プログラムであって、所望の衣服からＩＤを取得するＩＤ読み取りステップと、無線によりコンピュータ・ネットワークに接続する無線通信ステップと、利用者の衣服の画像データに関する利用権の有無をチェックするステップと、利用者の衣服の画像データに関する利用権の有無に応じた方式で、利用者の身体画像データと衣服の画像データを基に画像合成された試着画像、及び/又は、衣服の画像データを受信するステップと、試着画像の表示ステップと、を具備することを特徴とするコンピュータ・プログラム。